(57)【要約】      （修正有）【課題】水中構造物の工事に要する作業空間を形成するときの施工効率を向上させることが可能な仮締切構造体を提供する。【解決手段】仮締切構造体１Ａは、第１及び第２の取付端部を有し、堰柱Ｐ１の一部を覆うように円弧状に延びて仮締切空間Ｓ１を形成する隔壁部１１と、隔壁部１１を堰柱Ｐ１に連結すると共に、隔壁部１１と堰柱Ｐ１との間を止水する連結止水部と、を備える。連結止水部は、堰柱Ｐ１に固定される受け部と、隔壁部１１に固定され、受け部に対して押し付けられている押圧部と、を有する。隔壁部１１は、複数のライナープレート１６が締結されて構成される。第１の取付端部と第２の取付端部とで堰柱Ｐ１を挟んでいる。【選択図】図３
2018071345.tif 000002
【特許請求の範囲】
【請求項１】
水中に設けられた水中構造物の周辺に作業空間を形成する仮締切構造体において、
前記水中構造物に取り付けるための第１及び第２の取付端部を有し、前記水中構造物の一部を覆うように円弧状に延びて前記作業空間を形成する隔壁部と、
前記第１の取付端部と前記水中構造物との間、及び前記第２の取付端部と前記水中構造物との間に配置され、前記隔壁部を前記水中構造物に連結すると共に、
前記隔壁部と前記水中構造物との間を止水する連結止水部と、
を備え、
前記連結止水部は、
前記水中構造物に固定される受け部と、
前記隔壁部に固定され、前記受け部に対して水圧によって押し付けられる押圧部と、を有し、
前記隔壁部は、複数のライナープレートが締結されて構成され、
前記第１の取付端部と前記第２の取付端部とで前記水中構造物を挟んでいる、ことを特徴とする仮締切構造体。
【請求項２】
前記第１の取付端部と前記第２取付端部との間には、前記水中構造物が配置される開放部が形成される、請求項１に記載の仮締切構造体。
【請求項３】
前記開放部は、前記隔壁部の中心軸線を基準とする中心角が７２度以上１８０度未満である、請求項２に記載の仮締切構造体。
【請求項４】
前記水中構造物は、橋脚である、請求項１〜３の何れか一項に記載の仮締切構造体。
【請求項５】
前記隔壁部には、上下方向に互いに離間し、周方向に延在する周方向補強部材と、上下方向に延在する補強柱部材と、が取り付けられていることを特徴とする請求項１〜４の何れか一項に記載の仮締切構造体。
【請求項６】
前記連結止水部は、前記第１の取付端部と前記水中構造物との間、及び前記第２の取付端部と前記水中構造物との間のそれぞれに配置されていることを特徴とする請求項１〜５の何れか一項に記載の仮締切構造体。
【発明の詳細な説明】
【技術分野】
【０００１】
本発明は、水中に設けられた既設の水中構造物に対して工事を実施するための作業空間を形成する仮締切構造体に関する。
【背景技術】
【０００２】
このような分野の技術として特許文献１がある。特許文献１には、水中に構築された橋脚の周囲に作業空間を確保するための仮締切り構造物が記載されている。この仮締切り構造物は、橋脚を取り囲むように構築される筒状仮設体を備え、筒状仮設体の下端部は橋脚のフーチングに固定されている。
【先行技術文献】
【特許文献】
【０００３】
【特許文献１】特開平９−２２１７６０号公報
【発明の概要】
【発明が解決しようとする課題】
【０００４】
しかし、特許文献１に記載された仮締切り構造物では、橋脚等の水中構造物の全周を取り囲むように仮締切り構造体をなす筒状仮設体を構築する。この仮締切り構造物によれば、工事の対象となる領域が水中構造物の一部分であったとしても、水中構造物の全周を取り囲むように筒状仮設体を設置する。従って、水中構造物が大型化すると仮締切り構造物も大型化して仮締切り構造物の施工が複雑化及び長期化するため、作業空間の形成における施工効率の向上を図り難かった。
【０００５】
そこで、本発明は、水中構造物の工事に要する作業空間を形成するときの施工効率を向上させることが可能な仮締切構造体を提供することを目的とする。
【課題を解決するための手段】
【０００６】
本発明の一形態は、水中に設けられた水中構造物の周辺に作業空間を形成する仮締切構造体である。仮締切構造体は、水中構造物に取り付けるための第１及び第２の取付端部を有し、水中構造物の一部を覆うように円弧状に延びて作業空間を形成する隔壁部と、第１の取付端部と水中構造物との間、及び第２の取付端部と水中構造物との間に配置され、隔壁部を水中構造物に連結すると共に、隔壁部と水中構造物との間を止水する連結止水部と、を備え、連結止水部は、水中構造物に固定される受け部と、隔壁部に固定され、受け部に対して水圧によって押し付けられる押圧部と、を有し、隔壁部は、複数のライナープレートが締結されて構成され、第１の取付端部と第２の取付端部とで水中構造物を挟んでいる。
【０００７】
この仮締切構造体では、隔壁部が、連結止水部によって水中構造物に連結され、隔壁部と水中構造物との間は止水されている。従って、隔壁部を水中に配置して隔壁部内の水を排出することにより作業空間を形成することができる。また、隔壁部における第１及び第２の取付端部が水中構造物に取り付けられて、工事の対象となる水中構造物の一部が隔壁部により覆われる。従って、水中構造物の全体を取り囲むように隔壁部を設置する必要がないため、作業空間の形成における施工効率を向上させることができる。さらに、連結止水部では、水中構造物に取り付けられる受け部に対して、隔壁部に固定された押圧部が押し付けられることにより、隔壁部が水中構造物に取り付けられている。そのうえ、隔壁部は、複数のライナープレートが締結されて構成され、第１の取付端部と第２の取付端部とで水中構造物を挟んでいる。従って、水中構造物に対する工事を完了した後に、隔壁部を容易に取り外すことができ、水中構造物に対する工事全体の施工効率を向上させることができる。
【０００８】
第１の取付端部と第２取付端部との間には、水中構造物が配置される開放部が形成されてもよい。
【０００９】
開放部は、隔壁部の中心軸線を基準とする中心角が７２度以上１８０度未満であってもよい。
【００１０】
水中構造物は、橋脚であってもよい。
【００１１】
隔壁部には、上下方向に互いに離間し、周方向に延在する周方向補強部材と、上下方向に延在する補強柱部材と、が取り付けられてもよい。
【００１２】
連結止水部は、第１の取付端部と水中構造物との間、及び第２の取付端部と水中構造物との間のそれぞれに配置されてもよい。
【発明の効果】
【００１３】
本発明によれば、水中構造物の工事に要する作業空間を形成するときの施工効率を向上させることができる。
【図面の簡単な説明】
【００１４】
【図１】本発明に係る仮締切構造体を利用した工事が行われる可動堰を示す全体平面図である。
【図２】図１の可動堰に係る改修工事の一工程を示す平面図である。
【図３】本発明の第１実施形態に係る仮締切構造体を示す斜視図である。
【図４】図３の仮締切構造体を堰柱に取り付けた平面図である。
【図５】図３の仮締切構造体の一部を拡大した断面図である。
【図６】図５のＫ部を拡大した断面図である。
【図７】図３の仮締切構造体の連結止水部の平面図である。
【図８】第１参考形態に係る仮締切構造体を示す平面図である。
【図９】第２参考形態に係る仮締切構造体を示す平面図である。
【発明を実施するための形態】
【００１５】
以下、本発明の一形態に係る仮締切構造体の好適な実施形態について、図面を参照して詳細に説明する。
【００１６】
［第１実施形態］
まず、本発明に係る仮締切構造体が取り付けられる水中構造物について説明する。図１に示されるように、可動堰Ｄは、河川の川幅方向に沿って構築されて、上流から下流への流れや潮汐や津波による下流から上流への遡上を制御するものである。可動堰Ｄは、水中に孤立して配置された水中構造物としての堰柱Ｐ１と、河川の両岸にそれぞれ配置された水中構造物としての堰柱Ｐ２と、３台のゲートＧＡとを備えている。可動堰Ｄの改修工事では、可動堰Ｄの機能維持と耐震性の向上を目的として、堰柱Ｐ１，Ｐ２の補強工事とゲートＧＡの交換工事とが行われる。
【００１７】
改修工事の概略工程について説明する。まず、図２（ａ）に示されるように、仮締切ゲート３（図２（ｂ）参照）を堰柱Ｐ１，Ｐ２へ取り付けるための事前工事を実施する。事前工事では、仮締切ゲート戸当たり部２を堰柱Ｐ１，Ｐ２の上流側端部及び下流側端部のそれぞれに形成する。この事前工事にあたっては、施工箇所が水中であるため、作業空間としての仮締切空間を形成する必要がある。そこで、本発明の一形態に係る仮締切構造体を用いる。
【００１８】
続いて、図２（ｂ）に示されるように、一方の堰柱Ｐ２と一方の堰柱Ｐ１との間、一方の堰柱Ｐ１と他方の堰柱Ｐ１との間のそれぞれに仮締切ゲート３を取り付ける。また、仮締切ゲート３は、堰柱Ｐ１，Ｐ２の上流側端部の仮締切ゲート戸当たり部２と下流側端部の仮締切ゲート戸当たり部２のそれぞれに取り付けられる。仮締切ゲート３を配置した後に、仮締切ゲート３と堰柱Ｐ１，Ｐ２に囲まれた空間の水を排出して、仮締切空間Ｓを形成する。
【００１９】
続いて、図２（ｃ）に示されるように既設のゲートＧＡを取り外して新設のゲートＧＢに交換する。また、ゲートＧＢへの交換作業と並行して、堰柱Ｐ１，Ｐ２の補強工事を行う。ゲートＧＢへの交換と堰柱Ｐ１，Ｐ２の補強工事が完了した後に、仮締切空間Ｓに水を注入する。そして、仮締切ゲート３を撤去して改修工事が完了する。ここで、事前工事から仮締切ゲート３を撤去するまでの間は、安全管理のため、施工エリアの土中間隙水圧をモニタリングする。
【００２０】
図１に示されるように、本発明の第１実施形態に係る仮締切構造体１Ａは、水中に孤立して配置されている堰柱Ｐ１に取り付けられて、事前工事を行うための仮締切空間Ｓ１（図４参照）を形成するものである。堰柱Ｐ１の周辺に仮締切空間Ｓ１を形成する仮締切構造体１Ａは、円筒形状を有し、一例として直径が約７ｍであり高さが約５ｍである。仮締切構造体１Ａの直径は、作業に要する仮締切空間Ｓ１の広さなどに応じて設定され、高さは仮締切構造体１Ａが設置される場所の水深などに応じて設定される。以下、堰柱Ｐ１の下流側端部に取り付けられる仮締切構造体１Ａについて詳細に説明する。
【００２１】
図３に示されるように、仮締切構造体１Ａは、堰柱Ｐ１の下流側端部を部分的に囲って作業空間をなす仮締切空間Ｓ１を形成するものである。仮締切構造体１Ａは、水中において水から隔てられた仮締切空間Ｓ１を形成するための隔壁部１１と、隔壁部１１を堰柱Ｐ１に連結するための連結止水部１２（図４参照）とを有している。
【００２２】
図４に示されるように、円筒状の隔壁部１１は、円周方向の一部が切り欠かれた形状をなしている。言い換えれば、隔壁部１１は、周方向の端部である第１の取付端部１３と第２の取付端部１４とを有しており、第１の取付端部１３と第２の取付端部１４との間には、周方向の一部が開放された開放部Ｇ１が形成されている。仮締切構造体１Ａは、これら第１及び第２の取付端部１３，１４で堰柱Ｐ１の下流側端部を挟むようにして堰柱Ｐ１に取り付けられている。第１及び第２の取付端部１３，１４のなす開口割合Ｅは、隔壁部１１の中心軸線ＡＸを基準とし開放部Ｇ１が設けられていない場合を０％として、およそ２０％〜８０％（角度換算：７２度〜２８８度）の範囲に設定されている。この開口割合Ｅは、隔壁部１１が取り付けられる水中構造物の形状や必要な作業空間の容積・形状などに応じて設定されるものであり、仮締切構造体１Ａでは、開口割合Ｅは２０％（角度換算：７２度）である。
【００２３】
図３及び図５に示されるように、隔壁部１１は、複数のライナープレート１６が止水用ゴム部材１５を挟んでボルト（不図示）により締結されて構成されている。ライナープレート１６は、矩形状の薄鋼板を長手方向に湾曲させた形状を有し、ライナープレート１６同士はそれぞれの縁部に取り付けられているフランジ１６ａによって互いに連結可能とされている。このようなライナープレート１６によれば、ライナープレート１６単品の形状と組み合わせる数とを設定することにより、任意の高さと開口割合Ｅとを有する隔壁部１１を容易に構成することができる。また、ライナープレート１６で構築された隔壁部１１は、工事終了後に容易に分解することもできる。
【００２４】
図４に示されるように、隔壁部１１は、水中において作業空間を形成したときには、周囲の水から水圧Ｆを受けるため、水圧Ｆに耐え得る所定の強度を確保する必要がある。そこで、図３に示されるように、隔壁部１１には、上下方向に互いに離間し、円周方向に延在する補強リング（周方向補強部材）１７と、隔壁部１１の中心軸線ＡＸを挟んで互いに対向し、上下方向に延在するバーチカルスチフネス（補強柱部材）１８と、が取り付けられている。
【００２５】
補強リング１７は、隔壁部１１おいて第１の取付端部１３から第２の取付端部１４に亘って延びた円弧状のＨ型鋼（図５参照）である。補強リング１７は、隔壁部１１の上端に配置されると共に、隔壁部１１の上端から下方に向かって約２ｍ間隔で配置されている。また、補強リング１７は、ライナープレート１６に挟まれて、ボルト締結によって隔壁部１１に取り付けられている（図５参照）。
【００２６】
バーチカルスチフネス１８は、隔壁部１１の内周面及び外周面に配置された山形鋼（Ｌ型鋼）であり、バーチカルスチフネス１８の長手方向が上下方向に沿うように、隔壁部１１の上端から下端に亘って隔壁部１１に取り付けられている。また、バーチカルスチフネス１８は、一例として、隔壁部１１の中心軸線ＡＸに対して約１５度の中心角を持って複数配置されている（図４参照）。そして、隔壁部１１の中心軸線ＡＸを挟んで略対向する位置に配置されたバーチカルスチフネス１８の位置には、隔壁部１１を吊り上げるための吊り部材１９が取り付けられている。
【００２７】
隔壁部１１は、水から隔離された作業空間を形成するため、隔壁部１１とフーチング２１（図３参照）との間と、隔壁部１１と堰柱Ｐ１，Ｐ２との間（図４参照）とは水の出入りがないように止水された状態で連結する必要がある。
【００２８】
隔壁部１１とフーチング２１との間の連結構造について説明する。図５に示されるように、バーチカルスチフネス１８の下端には隔壁部１１の半径方向に延在する連結板２２が取り付けられている。連結板２２とフーチング２１の間には、ブチルを含むスポンジゴムからなる止水用ゴム部材２３が挟み込まれている。この連結板２２には、ボルト穴が形成され、ボルト穴にはフーチング２１に配置された埋め込みボルトＢが挿通されている。ボルト穴に挿通された埋め込みボルトＢには上端部からナットＮが取り付けられて、ナットＮはフーチング２１に向かう方向に締め付けられている。
【００２９】
この埋め込みボルトＢによれば、浮力に対抗するように隔壁部１１の全体がフーチング２１に固定される。また、止水用ゴム部材２３によれば、隔壁部１１が取り付けられるコンクリート製のフーチング２１表面に凹凸がある場合でも、ナットＮの締め付けにより止水用ゴム部材２３が圧縮されて凹凸に倣うため、隔壁部１１とフーチング２１との間を確実に止水することができる。
【００３０】
また、図６に示されるように、隔壁部１１の最下段に配置されたライナープレート１６のフランジ１６ａはフーチング２１に対してボルトＢ及びナットＮにより固定されている。そして、フランジ１６ａと連結板２２との間には、止水部材としてのブチルゴムシート２４が挟み込まれている。
【００３１】
次に、隔壁部１１と堰柱Ｐ１，Ｐ２との間の連結構造について説明する。図４に示されるように、隔壁部１１の第１の取付端部１３は堰柱Ｐ１の側壁Ｐ１ａに対して連結止水部１２によって連結されている。また、隔壁部１１の第２の取付端部１４は堰柱Ｐ１の側壁Ｐ１ｂに対して別の連結止水部１２によって連結されている。ここで、第１の取付端部１３と側壁Ｐ１ａの間の連結止水部１２と、第２の取付端部１４と側壁Ｐ１ｂの間の連結止水部１２と、は互いに同様の構成を有する。従って、以下、第２の取付端部１４と側壁Ｐ１ｂの間の連結止水部１２について説明し、第１の取付端部１３と側壁Ｐ１ａの間の連結止水部１２の説明を省略する。
【００３２】
図７に示されるように、連結止水部１２は、堰柱Ｐ１の側壁Ｐ１ｂに固定された受け部２６と、隔壁部１１の第２の取付端部１４に固定された押圧部２７とを有している。受け部２６に対して押圧部２７が水圧で押し付けられるヒンジ構造をなして、隔壁部１１が堰柱Ｐ１に取り付けられている。また、押圧部２７の押し付け方向Ｈ１と側壁Ｐ１ｂとの間の角度ＥＢは、略９０度であるが、押圧部２７と受け部２６との間には、上下方向を中心軸線とする揺動方向Ｈ２に沿った遊びが設けられているため、水圧分布の変化に応じて押し付け方向Ｈ１と側壁Ｐ１ｂとの間の角度ＥＢは変化する。
【００３３】
受け部２６は、押圧部２７が押し付けられる断面半円状の受け湾曲面Ｃ１を有する本体部２８と、本体部２８と側壁Ｐ１ｂとの間に挟み込まれた止水ゴム２９とを有している。本体部２８は、上下方向（水深方向）に延在し、押圧部２７に向かって凹状となる受け湾曲部２８ａと、受け湾曲部２８ａを隔壁部１１の半径方向に挟むと共に上下方向に延在するフランジ２８ｂとを有している。このフランジ２８ｂに設けられたボルト穴には、堰柱Ｐ１に設けられた埋め込みボルトＢが挿通され、ナットＮが締め付けられている。受け湾曲部２８ａは、フランジ２８ｂに対して隔壁部１１側に突出すると共に凹状の受け湾曲面Ｃ１が形成されている。受け湾曲面Ｃ１には、止水ゴムパッキン３１が取り付けられている。
【００３４】
この構造によれば、ナットＮを締め付けることにより、本体部２８が側壁Ｐ１ｂ側に押し付けられ、更に本体部２８と側壁Ｐ１ｂとの間の止水ゴム２９が圧縮されるため、側壁Ｐ１ｂ表面に凹凸がある場合であっても本体部２８と側壁Ｐ１ｂとの間の止水性を高めることができる。
【００３５】
押圧部２７は、上下方向に延在し、受け部２６に向かって凸状となる押圧湾曲面Ｃ２を有する押圧凸部２７ａと、押圧凸部２７ａを隔壁部１１の半径方向に挟むと共に上下方向に延在するフランジ２７ｂとを有している。揺動方向Ｈ２に沿った遊びを持たせるため、押圧湾曲面Ｃ２の半径は、受け湾曲面Ｃ１の半径よりも小さくされている。第２の取付端部１４は、ライナープレート１６を挟むように補強リング１７に固定された断面コ字状の固定チャンネル３２を有している。この固定チャンネル３２のフランジ３２ａに対して、押圧部２７のフランジ２７ｂがボルトにより固定されている。押圧凸部２７ａには、フランジ２７ｂに対して堰柱Ｐ１側に突出するように凸状の押圧湾曲面Ｃ２が形成されている。押圧湾曲面Ｃ２には、断面半円状の止水ゴムパッキン３３が取り付けられている。
【００３６】
仮締切構造体１Ａを用いた事前工事の工程について説明する。図３に示されるように、陸上において、ライナープレート１６の間に止水用ゴム部材１５を挟み込みつつ、ボルトにより連結して隔壁部１１を形成する。このとき、補強リング１７をライナープレート１６同士の間に挟み込む。続いて、隔壁部１１の外周面及び内周面にバーチカルスチフネス１８を取り付けると共に、所定のバーチカルスチフネス１８の上端部に吊り部材１９を取り付ける。また、第１及び第２の取付端部１３，１４に、連結止水部１２をなす押圧部２７を取り付ける。また、堰柱Ｐ１の側壁Ｐ１ｂにボルトＢを埋め込み、止水ゴム２９を挟んで連結止水部１２をなす本体部２８を固定する。
【００３７】
続いて、隔壁部１１を堰柱Ｐ１に取り付ける。より詳細には、第１の取付端部１３における押圧部２７の押圧湾曲面Ｃ２を堰柱Ｐ１の側壁Ｐ１ａに固定された受け部２６における受け湾曲面Ｃ１に嵌めこむ。更に、第２の取付端部１４における押圧部２７の押圧湾曲面Ｃ２を堰柱Ｐ１の側壁Ｐ１ｂに固定された受け部２６における受け湾曲面Ｃ１に嵌めこむ。そして、隔壁部１１の下端部をフーチング２１に固定する。以上の工程により、堰柱Ｐ１の作業対象領域Ｐ１Ｌのための仮締切空間Ｓ１が形成される。
【００３８】
続いて、隔壁部１１の内部の水を排出する。図４に示されるように、水を排出していくと、隔壁部１１には、隔壁部１１の中心軸線ＡＸに向かう水圧Ｆが作用するようになる。ここで、堰柱Ｐ１に取り付けるための開放部Ｇ１には水圧が作用しないが、開放部Ｇ１に対向する隔壁部１１の領域Ｇ２には水圧Ｆａが作用する。従って、この領域Ｇ２に作用する水圧により隔壁部１１が押し付けられることになる。
【００３９】
この仮締切構造体１Ａでは、隔壁部１１が、連結止水部１２によって堰柱Ｐ１に連結され、隔壁部１１と堰柱Ｐ１との間は止水されている。従って、隔壁部１１を水中に配置して隔壁部１１内の水を排出することにより仮締切空間Ｓ１を形成することができる。
【００４０】
また、隔壁部１１における第１及び第２の取付端部１３，１４が堰柱Ｐ１に取り付けられて、工事の対象となる堰柱Ｐ１の一部が隔壁部１１により覆われる。従って、堰柱Ｐ１の全体を取り囲むように隔壁部１１を設置する必要がないため、仮締切空間Ｓ１の形成における施工効率を向上させることができる。
【００４１】
ところで、隔壁部１１を堰柱Ｐ１，Ｐ２に対して連結する構造として、例えば、堰柱Ｐ１，Ｐ２の側壁に止水コンクリート製の凸部を形成し、この凸部に隔壁部１１の第１及び第２の取付端部１３，１４を埋め込む比較例に係る構成が考えられる。しかし、止水コンクリートへの埋め込み構造では、堰柱Ｐ１への隔壁部１１の取付剛性が高くなる。また、隔壁部１１の設置個所が河川中である場合には、水圧の状態も常時変化する。止水コンクリートへの埋め込み構造では、隔壁部１１に作用する水圧の分布が変化に応じて隔壁部１１の連結姿勢が変化することが難しく、第１及び第２の取付端部１３，１４に大きな応力が生じることになる。
【００４２】
仮締切構造体１Ａの連結止水部１２は、押圧部２７の押圧湾曲面Ｃ２が受け部２６の受け湾曲面Ｃ１に対して押し付けられて連結されるヒンジ構造を有している。この構造によれば、上下方向を軸線とした受け湾曲面Ｃ１に対する押圧湾曲面Ｃ２の揺動が可能であるため、押圧部２７と受け部２６の間で揺動方向Ｈ２（図７参照）に沿った遊びを持たせることができる。
【００４３】
さらに、押圧湾曲面Ｃ２と受け湾曲面Ｃ１との間には弾性を有する止水ゴムパッキン３１，３３が配置されているため、受け部２６に対して押圧部２７が柔軟に揺動可能であり、且つ押圧部２７と受け部２６の間の止水性を確保することができる。
【００４４】
また、押圧湾曲面Ｃ２が凸状であり受け湾曲面Ｃ１が凹状であるため、受け部２６に対して押圧部２７が揺動方向Ｈ２に沿って揺動しても押圧部２７が受け部２６から外れることがない。従って、止水性が確保され、水圧により第１及び第２の取付端部１３，１４に生じる応力が緩和される接続構造を維持することができる。
【００４５】
さらに、連結止水部１２では、堰柱Ｐ１に取り付けられた受け部２６に対して、隔壁部１１に固定された押圧部２７が押し付けられることにより、隔壁部１１が堰柱Ｐ１に取り付けられている。従って、堰柱Ｐ１に対する工事を完了した後に、隔壁部１１を容易に取り外すことができ、堰柱Ｐ１に対する工事全体の施工効率を向上させることができる。
【００４６】
また、補強リング１７及びバーチカルスチフネス１８によれば、仮締切空間Ｓ１を形成したときに隔壁部１１に作用する水圧Ｆに対して、隔壁部１１の形状を維持可能な強度を確保することができる。
【００４７】
また、仮締切構造体１Ａは、作業性のよい陸上で構築されるため、水中における作業を連結止水部１２における連結作業と、隔壁部１１とフーチング２１との連結作業とにすることができる。従って、仮締切空間の施工効率を向上させることができる。
【００４８】
また、仮締切構造体１Ａの隔壁部１１は円筒状であるため、水中において隔壁部１１には中心軸線ＡＸに向かう水圧を隔壁部１１に対して均等に作用させることができる。
【００４９】
［第１参考形態］
図８に示されるように、第１参考形態に係る仮締切構造体１Ｂは、開口割合Ｅが５０％（角度換算：１８０度）である点で仮締切構造体１Ａと相違している。仮締切構造体１Ｂは、河川の両岸に設置された堰柱Ｐ２の上流側端部の作業対象領域Ｐ２Ｍを囲むように配置される（図１参照）。仮締切構造体１Ｂの第１の取付端部３４は連結止水部１２によって堰柱Ｐ２の側壁Ｐ２ａに取り付けられ、第２の取付端部３６は別の連結止水部１２によって河川岸に設置された矢板３７に取り付けられている。
【００５０】
仮締切構造体１Ｂであっても、第１及び第２の取付端部３４，３６を、連結止水部１２を介して堰柱Ｐ２及び矢板３７に取り付けることができる。仮締切構造体１Ｂは、隔壁部１１に作用する水圧Ｆによって、隔壁部１１に固定されたそれぞれの押圧部２７が、堰柱Ｐ２側及び矢板３７側に押し付けられるため、止水コンクリートによる埋め込み構造によらず、作業対象領域Ｐ２Ｍのための仮締切空間Ｓ２を形成することができる。従って、第１実施形態に係る仮締切構造体１Ａと同様の効果を得ることができる。
【００５１】
図９に示されるように、第２参考形態に係る仮締切構造体１Ｃは、開口割合Ｅが７５％（角度換算：２７０度）である点で仮締切構造体１Ａと相違している。仮締切構造体１Ｃは、河川の両岸に設置された堰柱Ｐ２の下流側端部の作業対象領域Ｐ２Ｎを囲むように配置される（図１参照）。仮締切構造体１Ｃの第１の取付端部３８は連結止水部１２によって堰柱Ｐ２の側壁Ｐ２ａに取り付けられ、第２の取付端部３９は別の連結止水部１２によって河川岸から川幅方向に向かって並設された矢板４１に取り付けられている。
【００５２】
仮締切構造体１Ｃであっても、第１及び第２の取付端部３８，３９を、連結止水部１２を介して堰柱Ｐ２及び矢板４１に取り付けることができる。仮締切構造体１Ｃは、隔壁部１１に作用する水圧Ｆによって隔壁部１１に固定されたそれぞれの押圧部２７が、堰柱Ｐ２側及び矢板４１側に押し付けられるため、止水コンクリートによる埋め込み構造によらず、作業対象領域Ｐ２Ｎのための仮締切空間Ｓ３を形成することができる。従って、第１実施形態に係る仮締切構造体１Ａと同様の効果を得ることができる。
【００５３】
本発明は、前述した実施形態に限定されず、本発明の要旨を逸脱しない範囲で、下記のような種々の変形が可能である。
【００５４】
連結止水部１２は、隔壁部１１の第１及び第２の取付端部１３，１４のいずれか一方に配置され、他方は止水コンクリートへの埋め込み構造やボルト連結構造により水中構造物へ連結されてもよい。このような構造であっても、仮締切構造体１Ａは遊びを生じさせる連結止水部１２を備えているので水圧分布の変化に対応して、隔壁部１１に過大な応力が生じることを抑制できる。
【００５５】
また、連結止水部１２では、押圧湾曲面Ｃ２が受け部２６に向かって凹状であり、受け湾曲面Ｃ１が押圧部２７に向かって凸状であってもよい。
【００５６】
また、仮締切構造体１Ａ〜１Ｃが取り付けられる水中構造物は、可動堰の堰柱に限定されず、橋梁の橋脚等その他の水中構造物に取り付けて工事のための作業空間を形成するために用いてもよい。
【００５７】
また、本発明の実施形態は、水中に設けられた水中構造物の周辺に作業空間を形成する仮締切構造体において、水中構造物に取り付けるための第１及び第２の取付端部を有し、水中構造物の一部を覆うように円弧状に延びて作業空間を形成する隔壁部と、第１の取付端部と水中構造物との間、及び第２の取付端部と水中構造物との間の少なくとも一方に配置され、隔壁部を水中構造物に連結すると共に、隔壁部と水中構造物との間を止水する連結止水部と、を備え、連結止水部は、水中構造物に固定される受け部と、隔壁部に固定され、受け部に対して押し付けられる押圧部と、を有していることを特徴とする。
【００５８】
この仮締切構造体では、隔壁部が、連結止水部によって水中構造物に連結され、隔壁部と水中構造物との間は止水されている。従って、隔壁部を水中に配置して隔壁部内の水を排出することにより作業空間を形成することができる。また、隔壁部における第１及び第２の取付端部が水中構造物に取り付けられて、工事の対象となる水中構造物の一部が隔壁部により覆われる。従って、水中構造物の全体を取り囲むように隔壁部を設置する必要がないため、作業空間の形成における施工効率を向上させることができる。さらに、連結止水部では、水中構造物に取り付けられる受け部に対して、隔壁部に固定された押圧部が押し付けられることにより、隔壁部が水中構造物に取り付けられている。従って、水中構造物に対する工事を完了した後に、隔壁部を容易に取り外すことができ、水中構造物に対する工事全体の施工効率を向上させることができる。
【００５９】
また、押圧部は、上下方向に延在し受け部に向かって凸状となる押圧湾曲面を有し、受け部は、上下方向に延在し押圧部に向かって凹状となる受け湾曲面を有し、押圧湾曲面と受け湾曲面との間には弾性を有する止水部材が配置されていることを特徴とする。
【００６０】
連結止水部は、押圧部の押圧湾曲面が受け部の受け湾曲面に対して押し付けられて連結されるヒンジ構造を有している。この構造によれば、上下方向を軸線とした受け湾曲面に対する押圧湾曲面の揺動が可能であるため、押圧部と受け部の間で遊びを持たせることができる。また、押圧湾曲面と受け湾曲面との間には弾性を有する止水部材が配置されているため、受け部に対して押圧部が柔軟に揺動可能であり、且つ押圧部と受け部の間の止水性を確保することができる。さらに、押圧湾曲面が凸状であり受け湾曲面が凹状であるため、受け部に対して押圧部が揺動しても押圧部が受け部から外れることがない。従って、止水性が確保され、水圧により第１及び第２の取付端部に生じる応力が緩和される接続構造を維持することができる。
【００６１】
また、隔壁部には、上下方向に互いに離間し、周方向に延在する周方向補強部材と、隔壁部の中心軸線を挟んで互いに対向し、上下方向に延在する補強柱部材と、が取り付けられていることを特徴とする。この構成によれば、作業空間を形成したときに水圧により隔壁部に作用する力に対して、隔壁部の形状を維持可能な強度を確保することができる。
【００６２】
また、水中構造物は、堰柱であることを特徴とする。この構成によれば、堰柱の補修工事を効率よく実施することができる。
【００６３】
また、押圧部は、上下方向に延在し、受け部に向かって凹状となる押圧湾曲面を有し、受け部は、上下方向に延在し、押圧部に向かって凸状となる受け湾曲面を有し、押圧湾曲面と受け湾曲面との間には弾性を有する止水部材が配置されていてもよい。この構造であっても、止水性が確保され、水圧により第１及び第２の取付端部に生じる応力が緩和される接続構造を維持することができる。
【符号の説明】
【００６４】
１Ａ〜１Ｃ…仮締切構造体、１１…隔壁部、１２…連結止水部、１３…第１の取付端部、１４…第２の取付端部、１７…補強リング（周方向補強部材）、１８…バーチカルスチフネス（補強柱部材）、２６…受け部、２７…押圧部、Ｃ１…受け湾曲面、Ｃ２…押圧湾曲面、Ｐ１，Ｐ２…堰柱、Ｓ１〜Ｓ３…仮締切空間。
【図１】
2018071345.tif 000003
【図２】
2018071345.tif 000004
【図３】
2018071345.tif 000005
【図４】
2018071345.tif 000006
【図５】
2018071345.tif 000007
【図６】
2018071345.tif 000008
【図７】
2018071345.tif 000009
【図８】
2018071345.tif 000010
【図９】
2018071345.tif 000011